(57)【要約】【課題】カードの精度と無関係に、適切な大きさの制動力を適切なタイミングで安定的に発揮することができ、カードを確実に、かつ、適切な速度で安定的に排出することができ、カードが飛出してしまうことがなく、構造を簡素化することができ、部品点数の増加を防止し、製作を容易化して、コストを低減し、信頼性を向上させることができるようにする。【解決手段】カバー部材は、カバー部材に基端部が一体的に接続され、自由端に摺動部が形成されたカンチレバー状の制動部材を備え、スライド部材は、摺動部が当接可能な制動面を含む被制動部を備え、制動面には凸部が形成されている。【選択図】図１
2010205664.tif 000002
【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力により、前記カードをオーバーストローク位置から挿入方向と反対の方向に移動させて排出するカード案内機構と、
（ｄ）前記ハウジングに取付けられ、少なくともスライド部材及びハウジングに挿入されたカードの一部を覆うカバー部材とを有するカード用コネクタであって、
（ｅ）前記カバー部材は、該カバー部材に基端部が一体的に接続され、自由端に摺動部が形成されたカンチレバー状の制動部材を備え、
（ｆ）前記スライド部材は、前記摺動部が当接可能な制動面を含む被制動部を備え、前記制動面には凸部が形成されていることを特徴とするカード用コネクタ。
【請求項２】
前記制動面は、前記凸部の表面も含み、カードの挿入方向の手前側から奥側にかけて、低高低の順に変化する請求項１に記載のカード用コネクタ。
【請求項３】
前記摺動部が前記制動面に当接することによって発生する前記スライド部材を制動する制動力は、前記スライド部材がオーバーストローク位置からカードの挿入方向と反対の方向に移動すると、低高低の順に変化する請求項２に記載のカード用コネクタ。
【請求項４】
前記制動部材は弾性力を発揮し、該弾性力によって前記摺動部は前記制動面に押付けられる請求項１〜３のいずれか１項に記載のカード用コネクタ。
【請求項５】
前記摺動部は、前記カードがオーバーストローク位置にあるとき、前記制動面における前記凸部よりもカードの挿入方向の手前側の部分に当接し、前記カードがロック位置にあるとき、前記凸部の表面に当接する請求項１〜４のいずれか１項に記載のカード用コネクタ。
【請求項６】
前記スライド部材は、カードを排出する際に、前記ハウジングが備えるストッパ部に当接して停止し、前記摺動部は、前記スライド部材がストッパ部に当接して停止したとき、前記制動面における前記凸部よりもカードの挿入方向の奥側の部分に当接するか、又は、前記被制動部よりもカードの挿入方向の奥側に位置して前記制動面に当接しない請求項１〜５のいずれか１項に記載のカード用コネクタ。
【請求項７】
前記付勢部材は、コイルスプリングであり、圧縮された状態で付勢力を発揮する請求項１〜６のいずれか１項に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｍｕｌｔｉ  Ｍｅｄｉａ  Ｃａｒｄ）（Ｒ）、ＳＤ（Ｓｅｃｕｒｅ  Ｄｉｇｉｔａｌ）（Ｒ）カード、ｍｉｎｉＳＤ（Ｒ）カード、ｘＤピクチャーカード（ｘＤ−Ｐｉｃｔｕｒｅ  ｃａｒｄ）（Ｒ）、メモリスティック（Ｒ）、スマートメディア（Ｒ）等の各種メモリカードを利用するために、カード用コネクタを備えている。
【０００３】
近年のカード用コネクタは、使い勝手の観点から、メモリカードを挿入する際にも又は取外す際にも、メモリカードを押込むように操作するプッシュ／プッシュ構造を有するものが一般的である。しかし、プッシュ／プッシュ構造を有するカード用コネクタでは、カードを排出する際にスプリングの反発力によってカードをスライドさせるので、カードやカードを保持するスライド部材の移動速度が高くなり、カードが飛出してしまったり、スライド部材がストッパ部材に衝突して衝撃が発生してしまうことがある。そこで、減速装置を使用して、カードを排出する際のカードやスライド部材の移動速度を減速させる技術が提案されている（例えば、特許文献１参照。）。
【０００４】
図８は従来のカード用コネクタを示す分解図である。
【０００５】
図において、８１１は、合成樹脂等の絶縁性材料から成るカード用コネクタのハウジングであり、金属から成る複数の接続端子８５１を備える。また、８６１は、カード用コネクタのシェルであり、金属板から成り、ハウジング８１１の上側に取付けられる。そして、シェル８６１とハウジング８１１との間の空間には、メモリカード９０１が挿入され、該メモリカード９０１の図示されないコンタクトパッドが対応する接続端子８５１と接触する。
【０００６】
図に示される例において、カード用コネクタは、いわゆるプッシュ／プッシュタイプコネクタであり、メモリカード９０１を排出する案内機構を有する。該案内機構は、メモリカード９０１と係合し、該メモリカード９０１とともにスライドするスライド部材８２１、及び、該スライド部材８２１をメモリカード９０１を排出する方向に付勢するコイルスプリング８８１を備える。
【０００７】
前記ハウジング８１１の一方の側部には案内機構収容溝部８１１ｈが形成され、前記スライド部材８２１は案内機構収容溝部８１１ｈの内部にスライド可能に収容される。また、前記スライド部材８２１の上面には、ハートカム機構のカム溝８２３が形成され、該カム溝８２３にハートカム機構のピン部材８７１の一端が係合する。なお、該ピン部材８７１の他端は、案内機構収容溝部８１１ｈのストッパ部８１１ｇの近傍に係止される。また、前記ピン部材８７１は、シェル８６１の板ばね８６５によって上から下方向に付勢されることにより保持されている。
【０００８】
さらに、前記スライド部材８２１は、メモリカード９０１の前端と係合する第１係合部８２１ｃ、メモリカード９０１の係合凸部９１１の前端と係合する突出部８２４、メモリカード９０１の係合凹部９１２と係合する第２係合部８２１ｄ、及び、ストッパ部８１１ｇと当接してスライド部材８２１を停止させる当接部８２１ｅを備える。
【０００９】
そして、メモリカード９０１がハウジング８１１内に挿入されてユーザの手指によってプッシュされると、前記メモリカード９０１はハウジング８１１の奥方向（図における右上方向）に押込まれる。すると、メモリカード９０１の前端、係合凸部９１１及び係合凹部９１２とスライド部材８２１の第１係合部８２１ｃ、突出部８２４及び第２係合部８２１ｄとが係合し、スライド部材８２１は、コイルスプリング８８１の反発力に抗して、メモリカード９０１とともにハウジング８１１の奥方に移動する。そして、ハートカムの作用によってピン部材８７１の一端がカム溝８２３に掛止されてスライド部材８２１が停止すると、メモリカード９０１もハウジング８１１内に挿入された状態で停止する。
【００１０】
次に、メモリカード９０１をハウジング８１１から取出す際に、ユーザの手指によってメモリカード９０１がプッシュされると、ピン部材８７１の一端がカム溝８２３に掛止された状態が解除される。これにより、スライド部材８２１は開放され、コイルスプリング８８１の発揮する力によって、メモリカード９０１とともに手前方向（図における左下方向）に移動するので、メモリカード９０１がハウジング８１１から排出される。
【００１１】
また、案内機構収容溝部８１１ｈの側壁には、ばね性を備えるカンチレバー状の制動シュー８１９が形成されている。さらに、複数の接続端子８５１の両側には、押上げばね８５２Ｒ及び８５２Ｌが配設されている。そして、前記制動シュー８１９の表面は、スライド部材８２１の突出部８２４の側面に押付けられ、前記押上げばね８５２Ｒ及び８５２Ｌの上面は、メモリカード９０１の下面に押付けられる。
【００１２】
これにより、メモリカード９０１がハウジング８１１から排出される際に、スライド部材８２１及びメモリカード９０１の移動速度が、制動シュー８１９と押上げばね８５２Ｒ及び８５２Ｌとによって減速されるので、メモリカード９０１が飛出してしまったり、スライド部材８２１の当接部８２１ｅがストッパ部８１１ｇに衝突して衝撃が発生してしまったりすることがない。
【先行技術文献】
【特許文献】
【００１３】
【特許文献１】特開２００８−１８１７９２号公報
【発明の概要】
【発明が解決しようとする課題】
【００１４】
しかしながら、前記従来のカード用コネクタは、押上げばね８５２Ｒ及び８５２Ｌを別途取付ける必要があるので、部品点数が増加し、コストも高くなってしまう。また、近年では、急速な低価格化に伴ってメモリカード９０１の外形仕上げ精度が低下し、メモリカード９０１表面の寸法精度が低下している。すなわち、同一種類のメモリカード９０１であっても、厚さ寸法にばらつきがあり、また、表面の粗度又は平滑度にもばらつきがある。そのため、メモリカード９０１が厚さ寸法の大きいものである場合、押上げばね８５２Ｒ及び８５２Ｌの押付け力が大きくなり、制動力が想定以上に大きくなってしまうので、メモリカード９０１の排出が阻害される。逆に、メモリカード９０１が厚さ寸法の小さいものである場合、押上げばね８５２Ｒ及び８５２Ｌの押付け力が小さくなり、制動力が想定以上に小さくなってしまうので、メモリカード９０１が飛出してしまう。同様に、メモリカード９０１の表面が粗い場合には制動力が想定以上に大きくなってメモリカード９０１の排出が阻害され、メモリカード９０１の表面が平滑な場合には制動力が想定以上に小さくなってメモリカード９０１が飛出してしまう。
【００１５】
また、前記制動シュー８１９は、ばね性を備えるとともに、案内機構収容溝部８１１ｈの側壁にカンチレバー状に形成される必要がある。一方、近年では、電子機器の急速な小型化に伴って、メモリカード９０１及びカード用コネクタは、急速に小型化される傾向にある。そのため、合成樹脂等の絶縁性材料を一体成形することによって製作されるハウジング８１１の案内機構収容溝部８１１ｈの側壁に、ばね性を安定的に発揮し、かつ、カンチレバー状の極めて複雑な形状を備える微小寸法の制動シュー８１９を形成することは、極めて困難であり、仮に可能であるとしても、コストが高くなってしまう。
【００１６】
本発明は、前記従来のカード用コネクタの問題点を解決して、カードを保持してスライドするスライド部材の上面に凸部を形成するとともに、シェルに形成したカンチレバー状の板ばね部材を前記凸部に当接させることによって前記スライド部材を制動するようにして、カードの精度と無関係に、適切な大きさの制動力を適切なタイミングで安定的に発揮することができ、カードを確実に、かつ、適切な速度で安定的に排出することができ、カードが飛出してしまうことがなく、構造が簡素で、部品点数が増加することがなく、製作が容易で、コストが低く、信頼性の高いカード用コネクタを提供することを目的とする。
【課題を解決するための手段】
【００１７】
そのために、本発明のカード用コネクタにおいては、端子部材を備えるカードを収容するハウジングと、該ハウジングに取付けられ、前記カードの端子部材と接触する接続端子と、前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力により、前記カードをオーバーストローク位置から挿入方向と反対の方向に移動させて排出するカード案内機構と、前記ハウジングに取付けられ、少なくともスライド部材及びハウジングに挿入されたカードの一部を覆うカバー部材とを有するカード用コネクタであって、前記カバー部材は、該カバー部材に基端部が一体的に接続され、自由端に摺（しゅう）動部が形成されたカンチレバー状の制動部材を備え、前記スライド部材は、前記摺動部が当接可能な制動面を含む被制動部を備え、前記制動面には凸部が形成されている。
【００１８】
本発明の他のカード用コネクタにおいては、さらに、前記制動面は、前記凸部の表面も含み、カードの挿入方向の手前側から奥側にかけて、低高低の順に変化する。
【００１９】
本発明の更に他のカード用コネクタにおいては、さらに、前記摺動部が前記制動面に当接することによって発生する前記スライド部材を制動する制動力は、前記スライド部材がオーバーストローク位置からカードの挿入方向と反対の方向に移動すると、低高低の順に変化する。
【００２０】
本発明の更に他のカード用コネクタにおいては、さらに、前記制動部材は弾性力を発揮し、該弾性力によって前記摺動部は前記制動面に押付けられる。
【００２１】
本発明の更に他のカード用コネクタにおいては、さらに、前記摺動部は、前記カードがオーバーストローク位置にあるとき、前記制動面における前記凸部よりもカードの挿入方向の手前側の部分に当接し、前記カードがロック位置にあるとき、前記凸部の表面に当接する。
【００２２】
本発明の更に他のカード用コネクタにおいては、さらに、前記スライド部材は、カードを排出する際に、前記ハウジングが備えるストッパ部に当接して停止し、前記摺動部は、前記スライド部材がストッパ部に当接して停止したとき、前記制動面における前記凸部よりもカードの挿入方向の奥側の部分に当接するか、又は、前記被制動部よりもカードの挿入方向の奥側に位置して前記制動面に当接しない。
【００２３】
本発明の更に他のカード用コネクタにおいては、さらに、前記付勢部材は、コイルスプリングであり、圧縮された状態で付勢力を発揮する。
【発明の効果】
【００２４】
本発明によれば、カード用コネクタは、カードを保持してスライドするスライド部材の上面に凸部を形成するとともに、シェルに形成したカンチレバー状の板ばね部材を前記凸部に当接させるようになっている。これにより、カードの精度と無関係に、適切な大きさの制動力を適切なタイミングで安定的に発揮することができ、カードを確実に、かつ、適切な速度で安定的に排出することができ、カードが飛出してしまうことがなく、構造を簡素化することができ、部品点数の増加を防止し、製作を容易化して、コストを低減し、信頼性を向上させることができる。
【図面の簡単な説明】
【００２５】
【図１】本発明の実施の形態におけるカード用コネクタの分解図である。
【図２】本発明の実施の形態におけるカード用コネクタを示す斜視図である。
【図３】本発明の実施の形態におけるカード用コネクタのシェルを取除いた状態を示す斜視図である。
【図４】本発明の実施の形態におけるカードを示す図であって、（ａ）は下面図、（ｂ）は上面図である。
【図５】本発明の実施の形態におけるカード用コネクタのスライド部材がオーバーストローク位置に到達したときのシェルの側板部を取除いた状態を示す側面図である。
【図６】本発明の実施の形態におけるカード用コネクタのスライド部材がロック位置に到達したときのシェルの側板部を取除いた状態を示す側面図である。
【図７】本発明の実施の形態におけるカード用コネクタのスライド部材がカード仮保持位置に到達したときのシェルの側板部を取除いた状態を示す側面図である。
【図８】従来のカード用コネクタを示す分解図である。
【発明を実施するための形態】
【００２６】
以下、本発明の実施の形態について図面を参照しながら詳細に説明する。
【００２７】
図１は本発明の実施の形態におけるカード用コネクタの分解図、図２は本発明の実施の形態におけるカード用コネクタを示す斜視図、図３は本発明の実施の形態におけるカード用コネクタのシェルを取除いた状態を示す斜視図である。
【００２８】
図において、１は本実施の形態におけるカード用コネクタであり、図示されない電子機器に取付けられる。そして、前記カード用コネクタ１の内部には後述されるカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２９】
また、前記カード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔ−Ｆｌａｓｈ（Ｔｒａｎｓ−Ｆｌａｓｈ）メモリカード、マイクロＳＤ（Ｒ）カード等のＩＣカードであり、いかなる種類のカードであってもよいが、本実施の形態においては、マイクロＳＤ（Ｒ）カードであるものとして説明する。
【００３０】
なお、本実施の形態において、カード用コネクタ１の各部の構成及び動作を説明するために使用される上、下、左、右、前、後等の方向を示す表現は、絶対的なものでなく相対的なものであり、カード用コネクタ１又はその部品が図に示される姿勢である場合に適切であるが、カード用コネクタ１又はその部品の姿勢が変化した場合には、姿勢の変化に応じて変更して解釈されるべきものである。
【００３１】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル６１とを有する。該シェル６１は、ハウジング１１及び該ハウジング１１に収容されたカード１０１の少なくとも一部の上方を覆うようになっている。そして、前記カード用コネクタ１は、概略、扁（へん）平な直方体形状を備え、前記電子機器に取付けられ、前方（図における左上方）からカード１０１が挿入される。
【００３２】
なお、図３は、説明のためにシェル６１を除去した状態のハウジング１１の斜視図である。
【００３３】
図に示されるように、ハウジング１１は、カード１０１の挿入方向に関して手前側となる前縁側（図における左上側）が略Ｕ字状又は略コ字状に切取られた形状を備える底壁部１１ｂ、及び、該底壁部１１ｂの奥部において奥側（図における右下側）の縁に沿って延在し、底壁部１１ｂから立設する奥壁部１１ａを有する。ここで、底壁部１１ｂは、上面に接続端子としての端子５１が取付けられた端子保持部１１ｅを備える。該端子保持部１１ｅの上面には、前後方向（図における左上と右下とを結ぶ方向）に延在するように形成された端子装填（てん）溝が複数形成され、各端子装填溝に接続端子としての端子５１が挿入されて取付けられている。
【００３４】
そして、該端子５１は、その基部５１ａが前記端子装填溝内に取付けられ、その先端部５１ｂが奥壁部１１ａに向けて斜め上方に延在して底壁部１１ｂの上面より上方に突出している。前記端子５１の先端部５１ｂは、接触部として機能し、カード１０１の下面に配設された端子部材としてのコンタクトパッド１５１に接触して電気的に接続される。また、前記端子５１の根本部から延在するソルダーテール部５１ｃは、底壁部１１ｂの手前側の縁から前方に向けて突出し、前記電子機器における配線基板等に形成された信号線、コンタクトパッド、端子等、すなわち、相手側端子部材に、はんだ付等によって電気的に接続される。
【００３５】
さらに、前記底壁部１１ｂにおける端子５１の先端部５１ｂの下方に対応する部分には、底壁部１１ｂを厚さ方向に貫通する開口部１１ｉが形成されている。なお、該開口部１１ｉは、必要に応じて省略することもできる。
【００３６】
そして、ハウジング１１は、底壁部１１ｂの一方の側縁に沿って前後方向に延在する断面Ｌ字状の側壁としての第１側壁部１１ｃ、及び、底壁部１１ｂの他方の側縁に沿って前後方向に延在する側壁としての第２側壁部１１ｄを有する。
【００３７】
該第２側壁部１１ｄの内側にはカード案内機構収容部１１ｈが形成され、該カード案内機構収容部１１ｈにカード用コネクタ１内に挿入されたカード１０１を案内するためのカード案内機構のスライド部材２１が前後方向にスライド可能に取付けられている。ここで、スライド部材２１は、カード１０１を保持するためのカード保持部２１ａと、移動カム部材としてのスライドカム部２１ｂと、スライド速度を制御するための制動力を受ける被制動部２１ｇとを有する。なお、前記カード保持部２１ａ、スライドカム部２１ｂ及び被制動部２１ｇは、合成樹脂等の絶縁性材料によって一体的に成形されている。
【００３８】
そして、前記カード保持部２１ａは、その内側の側面から突出するように形成された第１係合部２１ｃ及び第２係合部２１ｄを備える。第１係合部２１ｃ及び第２係合部２１ｄは、カード１０１の側面に形成された凹凸を含む係合部と係合する。そして、スライド部材２１は、カード保持部２１ａの第１係合部２１ｃ及び第２係合部２１ｄによってカード１０１を保持し、該カード１０１とともに前後方向に移動する。
【００３９】
また、カード保持部２１ａの奥側の側面は、圧縮された状態で付勢力を発揮するコイルスプリングとしての付勢部材８１の付勢力を受ける付勢力受部２１ｅとして機能する。該付勢力受部２１ｅには、付勢部材８１を係止する係止突起２１ｆが形成され、付勢部材８１の一端が取付けられている。また、該付勢部材８１の他端は、奥壁部１１ａに取付けられている。なお、該奥壁部１１ａも付勢部材８１を係止する係止突起を備える。これにより、前記スライド部材２１は、付勢部材８１によって、カード１０１の挿入方向と反対の方向、すなわち、カード１０１の排出方向に付勢される。
【００４０】
そして、前記カード用コネクタ１は、カード用コネクタ１内にカード１０１を挿入する際にも、カード用コネクタ１内からカード１０１を取出す際にも、カード１０１を押込む動作を必要とする、いわゆる、プッシュインプッシュアウトタイプ、又は、プッシュ／プッシュタイプと通称されるものである。このような動作は、押しボタンスイッチの分野におけるオルタネイト動作（位置保持型、プッシュオン・プッシュオフ型）と同様のものである。そして、前記スライドカム部２１ｂは、プッシュ／プッシュタイプの動作を行うためのハート状カムのカム機構におけるスライドカムとして機能する。
【００４１】
そのため、スライドカム部２１ｂの上面には、カム溝２３が形成され、該カム溝２３には固定カム部材としての細長いピン部材７１の自由端が係合している。また、該ピン部材７１の他端は、固定端として、ハウジング１１のカード案内機構収容部１１ｈ内における奥壁部１１ａ寄りの部分に形成された掛止部１１ｆの上面に掛止され、ピボット結合されている。そして、前記ピン部材７１とカム溝２３とが協働することによって、カード１０１とともに移動するスライド部材２１にプッシュ／プッシュタイプの動作を行わせるようになっている。これにより、前記カード案内機構は、カード１０１を挿入方向に押込むプッシュ動作によってカード１０１が挿入方向に移動して終端点まで到達すると、前記付勢部材８１の付勢力により、前記カード１０１を終端点から挿入方向と反対の方向に移動させて排出することができる。なお、挿入方向と反対の方向に移動するスライド部材２１は、第２側壁部１１ｄの手前側端近傍に形成されたストッパ部１１ｇに当接して停止する。
【００４２】
前記ピン部材７１は、シェル６１のピン押え部材６５によって上から下方向に付勢されることにより保持されている。前記ピン押え部材６５は、シェル６１の一部をハウジング１１の底壁部１１ｂの方向に押圧可能に折曲げ加工することによって形成されたばね性を備える板状の部材であり、ピン部材７１は、前記ピン押え部材６５とスライド部材２１又はハウジング１１との間に位置し、スライド部材２１又はハウジング１１から離脱しないように保持されている。
【００４３】
また、前記シェル６１は、概略矩（く）形の天板部６２と、該天板部６２の側縁の複数箇所から立設する複数の側板部６４とを有する。該側板部６４には、複数の掛止開口６３が形成され、図２に示されるように、シェル６１をハウジング１１の上側に取付けると、該ハウジング１１の奥壁部１１ａ、第１側壁部１１ｃ及び第２側壁部１１ｄの外側面に形成された掛止突起１３に前記掛止開口６３が掛止され、これにより、シェル６１がハウジング１１に固定される。
【００４４】
さらに、シェル６１は、前記ピン押え部材６５に加えて、天板部６２に形成された制動部材６６を有する。該制動部材６６は、天板部６２の一部を切起こして形成したカンチレバー状の板ばね部材であり、その基端部が天板部６２に一体的に接続され、その自由端部には下方に突出する凸状の摺動部６６ａが形成されている。そして、前記制動部材６６は、天板部６２における第２側壁部１１ｄに対応する側板部６４の近傍に形成され、全体として側板部６４に沿って前後方向に延在し、摺動部６６ａは基端部から奥側に向って、かつ、斜め下方、すなわち、底壁部１１ｂに接近する方向に延出している。
【００４５】
一方、前記スライド部材２１の被制動部２１ｇは、スライドカム部２１ｂの側方に配設され、スライド部材２１の移動方向、すなわち、前後方向に延在する細長い矩形の板状部材である。そして、被制動部２１ｇの下面は、ハウジング１１の第２側壁部１１ｄの上面であるスライド面１１ｊ上を摺動する。すなわち、被制動部２１ｇは、スライド面１１ｊによって下方から支持されてスライドする。
【００４６】
また、被制動部２１ｇの上側の面である表面は、前記制動部材６６の摺動部６６ａが当接可能であって、該摺動部６６ａが当接して摺動することによって制動力を受ける制動面として機能する。そして、前記被制動部２１ｇの表面には、凸部２１ｈが形成されている。該凸部２１ｈは、側面形状が矩形であり、その表面は前記被制動部２１ｇの表面と平行であり、同様に、制動面として機能する。また、前記凸部２１ｈは、被制動部２１ｇの表面の長手方向、すなわち、前後方向の中間の範囲に形成されている。したがって、被制動部２１ｇの制動面の高さは、手前側から奥側に向って、低高低の順に変化する。なお、前記凸部２１ｈの表面は、必ずしも平面である必要はなく、例えば、凹部を形成してもよいが、ここでは、説明の都合上、平面である場合についてのみ説明する。
【００４７】
そして、前記制動部材６６は、シェル６１がハウジング１１に固定された状態で、摺動部６６ａが被制動部２１ｇの表面に対応する位置に形成されている。そして、制動部材６６のばね力によって摺動部６６ａが被制動部２１ｇの表面に押付けられることにより、前後方向に移動するスライド部材２１を制動する制動力が発生する。なお、制動部材６６は、金属板から成るシェル６１の天板部６２に、打抜き加工、曲げ加工等の加工を施して形成された部材なので、容易にかつ高精度で形成することができるとともに、金属製であるために極めて安定したばね性を備えるので、摺動部６６ａが被制動部２１ｇの表面に当接した状態で、所望の大きさの制動力を安定的に発生することができる。もっとも、前記摺動部６６ａは、必ずしも、常時、被制動部２１ｇの表面に当接して制動力を発生する必要はなく、前後方向に移動するスライド部材２１の位置によっては、被制動部２１ｇの表面に当接せず、制動力を発生しない状態となることもあり得る。
【００４８】
また、ハウジング１１の奥部には、カード１０１のコンタクトパッド１５１と端子５１とが接触していることを検出して、カード１０１がカード用コネクタ１に装填されていることを検出するカード検出スイッチが配設されている。該カード検出スイッチは、奥壁部１１ａ及びその近傍に取付けられた第１接点部材５２及び第２接点部材５３によって形成される。なお、スイッチは、カード１０１のコンタクトパッド１５１と端子５１の接続状態を検出するスイッチなどいかなるスイッチでもよいが、説明の都合上、カード検出スイッチである場合のみについて説明する。
【００４９】
前記第１接点部材５２は、奥壁部１１ａに取付けられた取付部５２ａ、基端が前記取付部５２ａに接続され、横方向、すなわち、第１側壁部１１ｃの方向に向けて延出するカンチレバー状の本体部５２ｂ、及び、該本体部５２ｂの自由端に接続された当接部５２ｃを有する。そして、前記取付部５２ａは奥壁部１１ａの側面とほぼ平行となり、本体部５２ｂは、カード１０１がカード用コネクタ１に挿入されていない状態においては、奥壁部１１ａの側面に対して傾斜し、当接部５２ｃは、カード１０１の挿入方向に関して手前側に向けて突出するように配設されている。そのため、カード１０１が挿入されると、該カード１０１の前端が当接部５２ｃに当接する。
【００５０】
一方、前記第２接点部材５３は、底壁部１１ｂにおける奥壁部１１ａ寄りの部分に取付けられた取付部５３ａ、基端が前記取付部５３ａに接続され第１側壁部１１ｃの方向に向けて延出するカンチレバー状の本体部５３ｂ、及び、該本体部５３ｂの自由端に接続された当接部５３ｃを有する。そして、前記第２接点部材５３は、第１接点部材５２よりも下側に、かつ、奥壁部１１ａに近接して配設されている。
【００５１】
そのため、カード１０１が挿入されていない状態においては、第１接点部材５２と第２接点部材５３とは非接触であり、カード検出スイッチは非導通状態、すなわち、オフ（ＯＦＦ）になっている。
【００５２】
しかし、カード１０１が挿入され、そのコンタクトパッド１５１と端子５１とが接触する位置に到達すると、カード１０１の前端によって第１接点部材５２の当接部５２ｃが奥壁部１１ａの方向に向けて押されて変位し、当接部５２ｃが第２接点部材５３の当接部５３ｃに当接する。これにより、第１接点部材５２と第２接点部材５３とが接触し、カード検出スイッチは導通状態、すなわち、オン（ＯＮ）になる。
【００５３】
次に、カード１０１について説明する。
【００５４】
図４は本発明の実施の形態におけるカードを示す図であって、図４において、（ａ）は下面図、（ｂ）は上面図である。
【００５５】
前述のように、本実施の形態において、カード１０１は、マイクロＳＤ（Ｒ）カードであり、図４に示されるような略長方形の板状の形状を有し、各寸法は、長さ（図４における上下）が１５．０〔ｍｍ〕、幅（図４における左右）が１１．０〔ｍｍ〕である。そして、第１面の前端寄りの位置には、複数のコンタクトパッド１５１が一端縁に沿って並んだ状態で配設されている。
【００５６】
次に、前記構成のカード用コネクタ１の動作について説明する。まず、カード１０１を挿入する場合の動作について説明する。
【００５７】
まず、利用者が手指等によってカード１０１をカード用コネクタ１の前方から挿入する。なお、カード１０１は、前端がハウジング１１の奥壁部１１ａの方を向き、コンタクトパッド１５１の配設された下面が底壁部１１ｂと対向し、コンタクトパッド１５１の配設されていない上面がシェル６１の天板部６２と対向するような姿勢で挿入される。これにより、カード１０１は、係合部としての凸部凹部平面部が形成された側面がハウジング１１の第２側壁部１１ｄに沿って、かつ、他方の側面がハウジング１１の第１側壁部１１ｃに沿って進行する。
【００５８】
続いて、利用者がカード１０１をプッシュして更に押込むと、スライド部材２１の第１係合部２１ｃ及び第２係合部２１ｄがカード１０１の側面の係合部と係合し、前記カード１０１は、スライド部材２１によって確実に保持され、該スライド部材２１とともに、奥壁部１１ａに向けて移動する。この際、利用者の手指等が発揮する押圧力は、カード１０１の係合部から第１係合部２１ｃや第２係合部２１ｄを介してスライド部材２１に伝達される。そして、該スライド部材２１がコイルスプリングから成る付勢部材８１を圧縮するので、スライド部材２１及びカード１０１は、付勢部材８１の反発力を受けるが、該反発力が利用者の手指等が発揮する押圧力よりも小さいので、前記反発力に抗して移動する。この場合、スライド部材２１は第２側壁部１１ｄに沿ってスライドし、カード１０１はスライド部材２１とともに進行する。そして、スライド部材２１及びカード１０１は、ロック位置よりも前進した位置であるオーバーストローク位置に到達してオーバーストローク状態となる。
【００５９】
続いて、利用者がカード１０１をプッシュする動作を止め、カード１０１に対する押圧力を解除すると、付勢部材８１の反発力によって、スライド部材２１及びカード１０１は奥壁部１１ａから離脱する向きに移動させられる。そして、スライド部材２１及びカード１０１は、カード用コネクタ１内でカード１０１をロックした状態で保持するロック位置で停止する。これは、スライド部材２１のスライドカム部２１ｂの上面に形成されたカム溝２３と係合しているピン部材７１の自由端が、カム溝２３の一部に掛止されてスライド部材２１の動きを停止させることによって、スライド部材２１を前記ロック位置で停止させているからである。
【００６０】
そして、カード１０１は、ロック位置に保持されることによって、カード用コネクタ１が実装された基板を備える電子機器の演算手段等との間でデータの送受信を行うことができる状態となる。なお、カード１０１がロック位置に保持されている場合、カード１０１のコンタクトパッド１５１は、端子５１の先端部５１ｂと接触して導通している。また、カード検出スイッチの第１接点部材５２の当接部５２ｃは、カード１０１の前端によって奥側に押出されて変位し、第２接点部材５３の当接部５３ｃに当接している。これにより、第１接点部材５２と第２接点部材５３とが接触し、カード検出スイッチはオンになっている。
【００６１】
次に、カード１０１をカード用コネクタ１から排出させる動作について説明する。
【００６２】
図５は本発明の実施の形態におけるカード用コネクタのスライド部材がオーバーストローク位置に到達したときのシェルの側板部を取除いた状態を示す側面図、図６は本発明の実施の形態におけるカード用コネクタのスライド部材がロック位置に到達したときのシェルの側板部を取除いた状態を示す側面図、図７は本発明の実施の形態におけるカード用コネクタのスライド部材がカード仮保持位置に到達したときのシェルの側板部を取除いた状態を示す側面図である。
【００６３】
まず、利用者が手指等によってカード１０１をプッシュして押込むと、スライド部材２１及びカード１０１は、ロック位置から奥壁部１１ａに向けて移動させられる。そして、利用者がカード１０１をプッシュして更に押込むと、スライド部材２１及びカード１０１は、図５に示されるように、ロック位置よりも前進した位置であるオーバーストローク位置に到達してオーバーストローク状態となる。
【００６４】
スライド部材２１がオーバーストローク位置にあるときには、制動部材６６の摺動部６６ａは、被制動部２１ｇの表面に当接している。すなわち、制動面の低い部位に当接している。したがって、スライド部材２１は、オーバーストローク位置及びその近傍の範囲では、弱い制動力を受けることになる。もっとも、スライド部材２１がオーバーストローク位置にある場合、摺動部６６ａが被制動部２１ｇの表面に当接していないときは、スライド部材２１は、オーバーストローク位置及びその近傍の範囲では、制動力を受けないことになる。
【００６５】
続いて、利用者がカード１０１をプッシュする動作を止め、該カード１０１に対する押込力を解除すると、付勢部材８１の付勢力によって、オーバーストローク位置に位置しているスライド部材２１及びカード１０１は、奥壁部１１ａから離脱する向きに移動させられ、挿入方向と反対の方向に移動させられる。この場合、前述のように、スライド部材２１が制動部材６６から弱い制動力しか受けていない、若しくは、制動力が発生しないので、付勢部材８１の付勢力は、制動部材６６からの制動力によってほとんど減殺されることがない。
【００６６】
スライド部材２１及びカード１０１がオーバーストローク位置から挿入方向と反対の方向への移動を開始する時点、すなわち、カード１０１を排出する工程の最初の時点では、停止状態から移動を開始するところ、静摩擦は動摩擦よりも大きいのであるから、静摩擦に打勝つ程度に大きな力が、排出力としてスライド部材２１及びカード１０１に付与される必要がある。
【００６７】
そのため、仮に、カード１０１を排出する工程の最初の時点で、制動部材６６からの制動力が強すぎると、付勢部材８１の付勢力が大きく減殺されてしまい、十分に大きな排出力がスライド部材２１及びカード１０１に付与されないこととなり、カード１０１を排出する工程が開始されないことになる。つまり、カード１０１の排出性が低下し、最悪の場合には、カード１０１が排出されないこととなる。
【００６８】
しかしながら、本実施の形態においては、カード１０１を排出する工程の最初の時点では、前述のように、スライド部材２１が制動部材６６から弱い制動力しか受けていないので、付勢部材８１の付勢力が大きく減殺されることがなく、十分に大きな排出力がスライド部材２１及びカード１０１に付与される。これにより、カード１０１の表面がハウジング１１及び／又はシェル６１の内面と擦（こす）れることによって、カード１０１が受ける摩擦が大きい場合であっても、スライド部材２１及びカード１０１に付与される大きな排出力が摩擦に打勝つので、カード１０１は確実に挿入方向と反対の方向に移動して排出される。つまり、カード１０１の排出性が低下することがない。
【００６９】
そして、カード１０１を排出する工程が開始されると、スライド部材２１及びカード１０１は、付勢部材８１の付勢力によって手前側に向けて移動し、図６に示されるようなロック位置を通過し、カード１０１の挿入方向と反対の方向に向けて更に移動する。
【００７０】
スライド部材２１がロック位置及びその前後にあるときには、制動部材６６の摺動部６６ａは、凸部２１ｈの表面に当接している。すなわち、制動面の高い部位に当接している。したがって、スライド部材２１は、ロック位置を含むその前後の所定の範囲、すなわち、凸部２１ｈが存在する範囲では、強い制動力を受けることになる。そして、付勢部材８１の付勢力が制動部材６６からの制動力によって大きく減殺されるので、スライド部材２１及びカード１０１の移動速度が効果的に減速される。これにより、カード１０１がカード用コネクタ１から勢いよく飛出してしまうことを防止することができる。
【００７１】
なお、前述のように、凸部２１ｈは、被制動部２１ｇの表面の前後方向の中間の範囲に形成され、被制動部２１ｇの制動面の高さは、手前側から奥側に向って、低高低の順に変化する。そして、凸部２１ｈの位置が、図５に示されるように、スライド部材２１がオーバーストローク位置にある時点での制動部材６６の摺動部６６ａから少し離れているので、カード１０１を排出する工程が開始されてから少しの期間は、前記摺動部６６ａは、被制動部２１ｇの表面に当接し、凸部２１ｈの表面に当接しない。すなわち、制動面の低い部位に当接し、高い部位に当接しない。そのため、スライド部材２１は、付勢部材８１の付勢力によって加速してある程度の速度に到達するまでは強い制動力を受けることがない。そして、図６に示されるように、前記摺動部６６ａが凸部２１ｈの表面に当接するようになった時点では、スライド部材２１及びカード１０１は、既に移動しているので、受ける摩擦が静摩擦よりも小さな動摩擦に変化し、かつ、慣性が生じているので、強い制動力を受けても停止してしまうことがない。つまり、カード１０１の排出性が低下することがない。
【００７２】
ところで、制動面において前記摺動部６６ａの当接する部位が被制動部２１ｇの表面から凸部２１ｈの表面に遷移する際、すなわち、前記摺動部６６ａが凸部２１ｈの手前側端（図５及び６における左側端）に当接する際には、制動力がステップ状に上昇するので、スライド部材２１は非常に強い制動力を受けることが考えられる。しかし、前述のように、この時点では、摩擦が小さな動摩擦に変化し、かつ、慣性が生じていることに加え、コイルスプリングから成る付勢部材８１が、大きく圧縮された状態となっているために大きな付勢力を発生させている。そのため、スライド部材２１が摺動部６６ａから非常に強い制動力を受けても、スライド部材２１及びカード１０１は停止することがない。さらに、凸部２１ｈの手前側端及び／又は摺動部６６ａの形状を適宜変更することによって、例えば、凸部２１ｈの手前側端を曲面にしたり、傾斜面にすることによって、また、例えば、摺動部６６ａの外形の傾斜を緩くしたり、曲率を大きくしたりすることにより、摺動部６６ａが凸部２１ｈの手前側端に当接する際の制動力を低減することもできる。
【００７３】
そして、スライド部材２１及びカード１０１は、付勢部材８１の付勢力によって手前側に向けて更に移動した後、スライド部材２１が第２側壁部１１ｄに形成されたストッパ部１１ｇに当接することにより、図７に示されるようなカード仮保持位置で停止する。該カード仮保持位置では、スライド部材２１の姿勢が変化するので、スライド部材２１の第１係合部２１ｃ及び第２係合部２１ｄとカード１０１の係合部との係合が緩いものとなる。したがって、カード１０１は、スライド部材２１によって一応保持されてはいるものの、利用者が手指等によってカード１０１を引けば、強い引張り力が付与されなくても、スライド部材２１による保持が解除されて取出される状態となっている。また、カード検出スイッチの第１接点部材５２の当接部５２ｃは、本体部５２ｂのばね性によって元の位置に復帰する。そのため、第１接点部材５２と第２接点部材５３とが非接触となるので、カード検出スイッチはオフになる。
【００７４】
スライド部材２１がカード仮保持位置にあるときには、制動部材６６の摺動部６６ａは、被制動部２１ｇの表面に当接していない。すなわち、被制動部２１ｇの奥側端（図７における右側端）は、前記摺動部６６ａよりも手前側（図７における左側）に位置する。なお、前記被制動部２１ｇの長さを延長して、スライド部材２１がカード仮保持位置にあるときであっても、被制動部２１ｇの奥側端が摺動部６６ａよりも奥側に位置し、該摺動部６６ａが被制動部２１ｇの表面に当接しているようにすることもできる。つまり、スライド部材２１がカード仮保持位置にあるときには、前記摺動部６６ａは、制動面に当接していないか、又は、制動面の低い部位に当接している。
【００７５】
そのため、スライド部材２１は、カード仮保持位置及びその近傍の範囲では、制動力を受けないか、又は、受けたとしても、弱い制動力を受けることになる。したがって、付勢部材８１の付勢力は、制動部材６６からの制動力によって全く、又は、ほとんど減殺されることがない。
【００７６】
スライド部材２１がカード仮保持位置及びその近傍の範囲にあるときには、コイルスプリングから成る付勢部材８１は、ほとんど圧縮されておらず、自由長に近い長さになっているために、ほとんど付勢力を発生していない。
【００７７】
そのため、仮に、制動部材６６からの制動力が大きいと、スライド部材２１及びカード１０１は停止してしまう可能性がある。つまり、カード１０１の排出性が低下し、最悪の場合には、カード１０１が排出されない可能性がある。
【００７８】
例えば、「背景技術」の項で説明した従来のカード用コネクタでは、制動シュー８１９が発揮する制動力が、メモリカード９０１がハウジング８１１から排出される際、すなわち、スライド部材８２１が最も手前に到達して当接部８２１ｅがストッパ部８１１ｇに当接した時に最大になっている。この場合、コイルスプリング８８１が自由長に近い長さとなって、その反発力が最低になっているので、制動シュー８１９が発揮する制動力が、コイルスプリング８８１の反発力に打勝ち、メモリカード９０１がハウジング８１１から排出されなくなってしまう可能性が高い。
【００７９】
これに対し、本実施の形態においては、スライド部材２１は、カード仮保持位置及びその近傍の範囲にあるときには、制動力を受けないか、又は、受けたとしても、弱い制動力を受けるだけなので、付勢部材８１の付勢力が全く、又は、ほとんど減殺されることがない。これにより、付勢部材８１から受ける付勢力が小さくても、スライド部材２１及びカード１０１は、停止することなく、カード仮保持位置に到達することができる。つまり、カード１０１の排出性が低下することがない。
【００８０】
なお、前述のように、スライド部材２１が、カード仮保持位置及びその近傍の範囲に到達する直前、すなわち、ロック位置及びその前後にあるときには、制動部材６６の摺動部６６ａが凸部２１ｈの上面、すなわち、制動面の高い部位に当接しているので、スライド部材２１及びカード１０１の移動速度が効果的に減速されている。そのため、スライド部材２１がカード仮保持位置及びその近傍の範囲にあるときに、制動力を受けないか、又は、弱い制動力だけを受けても、カード１０１がカード用コネクタ１から勢いよく飛出してしまうことはない。
【００８１】
また、スライド部材２１がストッパ部１１ｇに当接して停止する際にも、移動速度が効果的に減速されているので、大きな衝撃が発生することがない。
【００８２】
なお、本実施の形態においては、制動部材６６がシェル６１の天板部６２に形成され、被制動部２１ｇの上側の面が制動面として機能し、かつ、被制動部２１ｇの上側の面に凸部２１ｈが形成されている例についてのみ説明したが、制動部材６６がシェル６１の側板部６４に形成され、被制動部２１ｇの側面が制動面として機能し、かつ、被制動部２１ｇの側面に凸部２１ｈが形成されていてもよい。
【００８３】
また、本実施の形態においては、カード１０１をカード用コネクタ１に挿入する場合における制動部材６６から被制動部２１ｇに与えられる制動力の変化についての説明を省略した。これは、利用者が手指等によってカード１０１を挿入する力が、前記制動力や付勢部材８１の付勢力と比較して十分に大きいために、カード１０１は、前記制動力の影響をほとんど受けることなく、カード用コネクタ１に挿入されるからである。したがって、制動部材６６から被制動部２１ｇに制動力を与えても、カード１０１をカード用コネクタ１に挿入する場合の操作性が悪化することはない。
【００８４】
このように、本実施の形態におけるカード用コネクタ１では、シェル６１は、該シェル６１に基端部が一体的に接続され、自由端に摺動部６６ａが形成されたカンチレバー状の制動部材６６を備え、スライド部材２１は、摺動部６６ａが当接可能な制動面を含む被制動部２１ｇを備え、制動面には凸部２１ｈが形成されている。これにより、カード１０１の外形仕上げ精度と無関係に、適切な大きさの制動力を適切なタイミングで安定的に発揮することができる。したがって、カード１０１を確実に、かつ、適切な速度で安定的に排出することがでる。また、カード１０１が飛出してしまうことがない。さらに、構造が簡素であり、部品点数が増加することもない。したがって、製作が容易であり、コストを低減することができるとともに、信頼性を向上させることができる。
【００８５】
また、摺動部６６ａは、カード１０１がオーバーストローク位置にあるとき、制動面における凸部２１ｈよりもカード１０１の挿入方向の手前側の部分に当接し、カード１０１がロック位置にあるとき、凸部２１ｈの表面に当接する。これにより、カード１０１を排出する工程の最初の時点では、スライド部材２１が弱い制動力を受けるだけなので、カード１０１の排出性が低下することがない。また、スライド部材２１がロック位置にあるときは、付勢部材８１の付勢力が制動力によって大きく減殺されるので、スライド部材２１及びカード１０１の移動速度が効果的に減速され、カード１０１がカード用コネクタ１から勢いよく飛出してしまうことを防止することができる。
【００８６】
さらに、スライド部材２１は、カード１０１を排出する際に、ハウジング１１が備えるストッパ部１１ｇに当接して停止し、摺動部６６ａは、スライド部材２１がストッパ部１１ｇに当接して停止したとき、制動面における凸部２１ｈよりもカード１０１の挿入方向の奥側の部分に当接するか、又は、被制動部２１ｇよりもカード１０１の挿入方向の奥側に位置して制動面に当接しない。これにより、スライド部材２１がストッパ部１１ｇに当接して停止しているときには、スライド部材２１が制動力を受けないか、又は、受けたとしても、弱い制動力を受けるだけなので、付勢部材８１の付勢力は、制動力によって全く、又は、ほとんど減殺されることがない。したがって、カード１０１の排出性が低下することがない。
【００８７】
なお、本発明は前記実施の形態に限定されるものではなく、本発明の趣旨に基づいて種々変形させることが可能であり、それらを本発明の範囲から排除するものではない。
【産業上の利用可能性】
【００８８】
本発明は、カード用コネクタに適用することができる。
【符号の説明】
【００８９】
１    カード用コネクタ
１１、８１１    ハウジング
１１ａ    奥壁部
１１ｂ    底壁部
１１ｃ    第１側壁部
１１ｄ    第２側壁部
１１ｅ    端子保持部
１１ｆ    掛止部
１１ｇ、８１１ｇ    ストッパ部
１１ｈ    カード案内機構収容部
１１ｉ    開口部
１１ｊ    スライド面
１３    掛止突起
２１、８２１    スライド部材
２１ａ    カード保持部
２１ｂ    スライドカム部
２１ｃ、８２１ｃ    第１係合部
２１ｄ、８２１ｄ    第２係合部
２１ｅ    付勢力受部
２１ｆ    係止突起
２１ｇ    被制動部
２１ｈ    凸部
２３、８２３    カム溝
５１    端子
５１ａ    基部
５１ｂ    先端部
５１ｃ    ソルダーテール部
５２    第１接点部材
５２ａ、５３ａ    取付部
５２ｂ、５３ｂ    本体部
５２ｃ、５３ｃ、８２１ｅ    当接部
５３    第２接点部材
６１、８６１    シェル
６２    天板部
６３    掛止開口
６４    側板部
６５    ピン押え部材
６６    制動部材
６６ａ    摺動部
７１、８７１    ピン部材
８１    付勢部材
１０１    カード
１５１    コンタクトパッド
８１１ｈ    案内機構収容溝部
８１９    制動シュー
８２４    突出部
８５１    接続端子
８５２Ｌ、８５２Ｒ    押上げばね
８６５    板ばね
８８１    コイルスプリング
９０１    メモリカード
９１１    係合凸部
９１２    係合凹部
【図１】
2010205664.tif 000003
【図２】
2010205664.tif 000004
【図３】
2010205664.tif 000005
【図４】
2010205664.tif 000006
【図５】
2010205664.tif 000007
【図６】
2010205664.tif 000008
【図７】
2010205664.tif 000009
【図８】
2010205664.tif 000010